(57)【特許請求の範囲】
【請求項１】
ＣＭ素材が記録されるＣＭバンクシステムと、該ＣＭバンクシステムと通信ネットワークを介して接続されており該ＣＭバンクシステムへのＣＭ素材の記録を支援するＣＭ素材記録支援装置と、を備えるＣＭ素材記録支援システムであって、
前記ＣＭ素材記録支援装置は、
ＣＭのコンテンツであるＣＭ素材と、該ＣＭに関する情報を示すＣＭメタデータと、が記録されているＣＭ素材ファイルを取得するファイル取得手段と、
ＣＭを識別するためのＣＭ識別子と、前記ファイル取得手段により取得されたＣＭ素材ファイルと、を関連付けて、ファイル記憶部に記録するファイル記録手段と、を備え、
前記ＣＭバンクシステムは、
ＣＭ識別子を含み、該ＣＭ識別子で識別されるＣＭのＣＭ素材の記録の準備を指示するための記録準備指示情報を、前記ＣＭ素材記録支援装置に送信する記録準備指示手段を備え、
前記ＣＭ素材記録支援装置は、更に、
前記記録準備指示手段により送信された記録準備指示情報を受信すると、前記ファイル記憶部に記憶されているＣＭ素材ファイルの中から、該記録準備指示情報に含まれているＣＭ識別子に関連付けられているＣＭ素材ファイルを選択するファイル選択手段と、
前記ファイル選択手段により選択されたＣＭ素材ファイルの再生開始位置を、該ＣＭ素材ファイルの中のＣＭ素材を先頭から再生させるための位置であるＣＭ素材先頭位置に設定する再生開始位置設定手段と、
前記ファイル選択手段により選択されたＣＭ素材ファイルに記録されているＣＭメタデータを、前記ＣＭバンクシステムに送信するＣＭメタデータ送信手段と、を備え、
前記ＣＭバンクシステムは、更に、
前記ＣＭメタデータ送信手段により送信されたＣＭメタデータを受信し、該ＣＭメタデータに基づくＣＭに関する情報を出力するＣＭ情報出力手段と、
操作者の操作に応じて、前記ＣＭ情報出力手段により情報が出力されたＣＭのＣＭ識別子を含み、該ＣＭ識別子で識別されるＣＭのＣＭ素材の記録の開始を指示するための記録開始指示情報を、前記ＣＭ素材記録支援装置に送信する記録開始指示手段と、を備え、
前記ＣＭ素材記録支援装置は、更に、
前記記録開始指示手段により送信された記録開始指示情報を受信すると、前記ファイル選択手段により選択されたＣＭ素材ファイルの再生を、前記再生開始位置設定手段により設定されたＣＭ素材先頭位置から開始する再生開始手段と、
前記再生開始手段により再生が開始されたＣＭ素材の再生データを前記ＣＭバンクシステムに送信する再生データ送信手段と、を備え、
前記ＣＭバンクシステムは、更に、
前記再生データ送信手段により送信されたＣＭ素材の再生データを受信する再生データ受信手段と、
前記再生データ受信手段により受信されたＣＭ素材の再生データを、ＣＭ素材記憶部に記録するＣＭ素材記録手段と、を備える、
ことを特徴とするＣＭ素材記録支援システム。
【請求項２】
前記ＣＭ素材記録支援装置の前記ファイル記録手段は、
前記ファイル取得手段により取得されたＣＭ素材ファイルに記録されているＣＭメタデータから、ＣＭに関する情報を示す画像であるクレジット画像を生成するクレジット画像生成手段と、
ＣＭ識別子と、前記ファイル取得手段により取得されたＣＭ素材ファイルと、前記クレジット画像生成手段により生成されたクレジット画像と、を関連付けて、前記ファイル記憶部に記録するクレジット画像記録手段と、を含み、
前記ＣＭ素材記録支援装置の前記ＣＭメタデータ送信手段は、
前記記録準備指示手段により送信された記録準備指示情報に含まれているＣＭ識別子に関連付けられているクレジット画像を、前記ファイル記憶部から読み出すクレジット画像読出手段と、
前記クレジット画像読出手段により読み出されたクレジット画像を、前記ＣＭバンクシステムに送信するクレジット画像送信手段と、を含み、
前記ＣＭバンクシステムの前記ＣＭ情報出力手段は、
前記クレジット画像送信手段により送信されたクレジット画像を受信し、該クレジット画像を出力するクレジット画像出力手段を含む、
ことを特徴とする請求項１に記載のＣＭ素材記録支援システム。
【請求項３】
前記ＣＭ素材記録支援装置の前記ファイル取得手段は、
ＣＭ素材ファイルと共に、該ＣＭ素材ファイルの中のＣＭ素材のＣＭ素材先頭位置を示すＣＭ素材先頭位置情報を取得する先頭位置情報取得手段を含み、
前記ＣＭ素材記録支援装置の前記ファイル記録手段は、
ＣＭ識別子と、前記ファイル取得手段により取得されたＣＭ素材ファイルと、前記先頭位置情報取得手段により取得されたＣＭ素材先頭位置情報と、を関連付けて、前記ファイル記憶部に記録する先頭位置情報記録手段を含み、
前記ＣＭ素材記録支援装置の前記再生開始位置設定手段は、
前記記録準備指示手段により送信された記録準備指示情報に含まれているＣＭ識別子に関連付けられているＣＭ素材先頭位置情報を、前記ファイル記憶部から読み出す先頭位置情報読出手段と、
前記ファイル選択手段により選択されたＣＭ素材ファイルの再生開始位置を、前記先頭位置情報読出手段により読み出されたＣＭ素材先頭位置情報が示すＣＭ素材先頭位置に設定する読出再生開始位置設定手段と、を含む、
ことを特徴とする請求項１又は２に記載のＣＭ素材記録支援システム。
【請求項４】
ＣＭ素材が記録されるＣＭバンクシステムと、該ＣＭバンクシステムと通信ネットワークを介して接続されており該ＣＭバンクシステムへのＣＭ素材の記録を支援するＣＭ素材記録支援装置と、を用いるＣＭ素材記録支援方法であって、
前記ＣＭ素材記録支援装置が、ＣＭのコンテンツであるＣＭ素材と、該ＣＭに関する情報を示すＣＭメタデータと、が記録されているＣＭ素材ファイルを取得するファイル取得ステップと、
前記ＣＭ素材記録支援装置が、ＣＭを識別するためのＣＭ識別子と、前記ファイル取得ステップにより取得されたＣＭ素材ファイルと、を関連付けて、ファイル記憶部に記録するファイル記録ステップと、
前記ＣＭバンクシステムが、ＣＭ識別子を含み、該ＣＭ識別子で識別されるＣＭのＣＭ素材の記録の準備を指示するための記録準備指示情報を、前記ＣＭ素材記録支援装置に送信する記録準備指示ステップと、
前記ＣＭ素材記録支援装置が、前記記録準備指示ステップにより送信された記録準備指示情報を受信すると、前記ファイル記憶部に記憶されているＣＭ素材ファイルの中から、該記録準備指示情報に含まれているＣＭ識別子に関連付けられているＣＭ素材ファイルを選択するファイル選択ステップと、
前記ＣＭ素材記録支援装置が、前記ファイル選択ステップにより選択されたＣＭ素材ファイルの再生開始位置を、該ＣＭ素材ファイルの中のＣＭ素材を先頭から再生させるための位置であるＣＭ素材先頭位置に設定する再生開始位置設定ステップと、
前記ＣＭ素材記録支援装置が、前記ファイル選択ステップにより選択されたＣＭ素材ファイルに記録されているＣＭメタデータを、前記ＣＭバンクシステムに送信するＣＭメタデータ送信ステップと、
前記ＣＭバンクシステムが、前記ＣＭメタデータ送信ステップにより送信されたＣＭメタデータを受信し、該ＣＭメタデータに基づくＣＭに関する情報を出力するＣＭ情報出力ステップと、
前記ＣＭバンクシステムが、操作者の操作に応じて、前記ＣＭ情報出力ステップにより情報が出力されたＣＭのＣＭ識別子を含み、該ＣＭ識別子で識別されるＣＭのＣＭ素材の記録の開始を指示するための記録開始指示情報を、前記ＣＭ素材記録支援装置に送信する記録開始指示ステップと、
前記ＣＭ素材記録支援装置が、前記記録開始指示ステップにより送信された記録開始指示情報を受信すると、前記ファイル選択ステップにより選択されたＣＭ素材ファイルの再生を、前記再生開始位置設定ステップにより設定されたＣＭ素材先頭位置から開始する再生開始ステップと、
前記ＣＭ素材記録支援装置が、前記再生開始ステップにより再生が開始されたＣＭ素材の再生データを前記ＣＭバンクシステムに送信する再生データ送信ステップと、
前記ＣＭバンクシステムが、前記再生データ送信ステップにより送信されたＣＭ素材の再生データを受信する再生データ受信ステップと、
前記ＣＭバンクシステムが、前記再生データ受信ステップにより受信されたＣＭ素材の再生データを、ＣＭ素材記憶部に記録するＣＭ素材記録ステップと、
を備えることを特徴とするＣＭ素材記録支援方法。
【請求項５】
ＣＭ素材が記録されるＣＭバンクシステムと通信ネットワークを介して接続されており、該ＣＭバンクシステムへのＣＭ素材の記録を支援するＣＭ素材記録支援装置であって、
ＣＭのコンテンツであるＣＭ素材と、該ＣＭに関する情報を示すＣＭメタデータと、が記録されているＣＭ素材ファイルを取得するファイル取得手段と、
ＣＭを識別するためのＣＭ識別子と、前記ファイル取得手段により取得されたＣＭ素材ファイルと、を関連付けて、ファイル記憶部に記録するファイル記録手段と、
ＣＭ識別子を含み、該ＣＭ識別子で識別されるＣＭのＣＭ素材の記録の準備を指示するための記録準備指示情報を、前記ＣＭバンクシステムから受信すると、前記ファイル記憶部に記憶されているＣＭ素材ファイルの中から、該記録準備指示情報に含まれているＣＭ識別子に関連付けられているＣＭ素材ファイルを選択するファイル選択手段と、
前記ファイル選択手段により選択されたＣＭ素材ファイルの再生開始位置を、該ＣＭ素材ファイルの中のＣＭ素材を先頭から再生させるための位置であるＣＭ素材先頭位置に設定する再生開始位置設定手段と、
前記ファイル選択手段により選択されたＣＭ素材ファイルに記録されているＣＭメタデータを、前記ＣＭバンクシステムに送信するＣＭメタデータ送信手段と、
前記ＣＭメタデータ送信手段により送信されたＣＭメタデータに基づくＣＭに関する情報を出力した前記ＣＭバンクシステムの操作者の操作に応じて、前記ＣＭバンクシステムにより情報が出力されたＣＭのＣＭ識別子を含み、該ＣＭ識別子で識別されるＣＭのＣＭ素材の記録の開始を指示するための記録開始指示情報を、前記ＣＭバンクシステムから受信すると、前記ファイル選択手段により選択されたＣＭ素材ファイルの再生を、前記再生開始位置設定手段により設定されたＣＭ素材先頭位置から開始する再生開始手段と、
前記再生開始手段により再生が開始されたＣＭ素材の再生データを、前記ＣＭバンクシステムに記録させるために、前記ＣＭバンクシステムに送信する再生データ送信手段と、
を備えることを特徴とするＣＭ素材記録支援装置。
【請求項６】
ＣＭ素材が記録されるＣＭバンクシステムと通信ネットワークを介して接続されるコンピュータを、
ＣＭのコンテンツであるＣＭ素材と、該ＣＭに関する情報を示すＣＭメタデータと、が記録されているＣＭ素材ファイルを取得するファイル取得手段、
ＣＭを識別するためのＣＭ識別子と、前記ファイル取得手段により取得されたＣＭ素材ファイルと、を関連付けて、ファイル記憶部に記録するファイル記録手段、
ＣＭ識別子を含み、該ＣＭ識別子で識別されるＣＭのＣＭ素材の記録の準備を指示するための記録準備指示情報を、前記ＣＭバンクシステムから受信すると、前記ファイル記憶部に記憶されているＣＭ素材ファイルの中から、該記録準備指示情報に含まれているＣＭ識別子に関連付けられているＣＭ素材ファイルを選択するファイル選択手段、
前記ファイル選択手段により選択されたＣＭ素材ファイルの再生開始位置を、該ＣＭ素材ファイルの中のＣＭ素材を先頭から再生させるための位置であるＣＭ素材先頭位置に設定する再生開始位置設定手段、
前記ファイル選択手段により選択されたＣＭ素材ファイルに記録されているＣＭメタデータを、前記ＣＭバンクシステムに送信するＣＭメタデータ送信手段、
前記ＣＭメタデータ送信手段により送信されたＣＭメタデータに基づくＣＭに関する情報を出力した前記ＣＭバンクシステムの操作者の操作に応じて、前記ＣＭバンクシステムにより情報が出力されたＣＭのＣＭ識別子を含み、該ＣＭ識別子で識別されるＣＭのＣＭ素材の記録の開始を指示するための記録開始指示情報を、前記ＣＭバンクシステムから受信すると、前記ファイル選択手段により選択されたＣＭ素材ファイルの再生を、前記再生開始位置設定手段により設定されたＣＭ素材先頭位置から開始する再生開始手段、
前記再生開始手段により再生が開始されたＣＭ素材の再生データを、前記ＣＭバンクシステムに記録させるために、前記ＣＭバンクシステムに送信する再生データ送信手段、
として機能させるためのプログラム。
【発明の詳細な説明】
【技術分野】
【０００１】
本発明は、ＣＭ（Commercial Message）素材のＣＭバンクシステムへの記録を支援するためのＣＭ素材記録支援システム等に関する。
【背景技術】
【０００２】
放送局は、営業放送システムを用いて、放送用の番組やＣＭの内容、放送スケジュール等を管理している。また、放送局は、ＣＭを放送するために、放送用のＣＭ素材を予めＣＭバンクシステムに収録しておく。そして、営業放送システムで管理している放送スケジュールに従って、ＣＭバンクシステムからＣＭ素材が送出されることにより、ＣＭの放送が行われる。
【０００３】
ＣＭ素材をＣＭバンクシステムに収録するために、放送局では、広告代理店等から日々入稿されるＣＭ素材の確認業務及び収録業務が行われる。
【０００４】
ＣＭ素材の確認業務では、ＣＭバンクシステムに収録されるＣＭ素材の内容が正しいか否かが確認される。例えば、ＣＭ素材が記録されているビデオテープが広告代理店から放送局に入稿されると、確認作業の担当者は、ビデオテープに添付されているラベルの記載を確認すると共に、ビデオテープを再生して、ビデオテープに記録されているＣＭ素材の映像を目視にて確認する。
【０００５】
ＣＭ素材の収録業務では、ＣＭバンクシステムに実際にＣＭ素材を収録する作業が行われる。この作業では、例えば、次のような手順が必要とされる。
（１）収録準備のために、確認業務終了後のビデオテープが格納されている管理棚から、収録の対象となるＣＭ素材が記録されているビデオテープを取り出す。
（２）ビデオテープをビデオデッキで再生し、ＣＭ素材の内容を確認後、頭出し、即ち、再生開始位置を収録開始位置に合わせる。
（３）ＣＭバンクシステムにて収録開始制御をかける。
（４）収録後、ビデオテープを管理棚に再度格納する。
【０００６】
なお、素材の内容を確認するための技術としては、例えば、特許文献１に記載の技術がある。特許文献１には、具体的には、放送用の素材の映像再生中において、待機している素材を確認するために、待機している素材の再生開始位置の静止画、クレジット画像、又はスーパ表示項目を出力する送出システムが記載されている。
【先行技術文献】
【特許文献】
【０００７】
【特許文献１】特開２００９−５５２５５号公報
【発明の概要】
【発明が解決しようとする課題】
【０００８】
上記の確認業務のように、人が目視にて確認作業を行う場合、作業ミスの発生を完全に抑えることは難しい。そして、仮に作業ミスが発生した場合には、例えば、ＣＭバンクシステムに本来収録されるべきＣＭ素材とは異なる内容が記録されている誤ったビデオテープを用いて、その後の収録業務が行われてしまう可能性がある。
【０００９】
また、収録作業において上述した手順が行われる場合、人手による手間が多く、例えば一日に何十本ものＣＭ素材をＣＭバンクシステムに収録する必要がある場合には、収録作業に多くの時間を要してしまう。
【００１０】
更に、上記特許文献１に記載の技術は、放送直前に待機中の素材を確認するためのものであり、ＣＭ素材をＣＭバンクシステムに収録する際の確認業務及び収録業務に用いることはできない。
【００１１】
本発明は、上記実状に鑑みてなされたものであり、ＣＭ素材をＣＭバンクシステムに収録する作業を行う者の作業負荷を軽減することができるＣＭ素材記録支援システム等を提供することを目的とする。
【課題を解決するための手段】
【００１２】
上記目的を達成するため、本発明の第１の観点に係るＣＭ素材記録支援システムは、
ＣＭ素材が記録されるＣＭバンクシステムと、該ＣＭバンクシステムと通信ネットワークを介して接続されており該ＣＭバンクシステムへのＣＭ素材の記録を支援するＣＭ素材記録支援装置と、を備えるＣＭ素材記録支援システムであって、
前記ＣＭ素材記録支援装置は、
ＣＭのコンテンツであるＣＭ素材と、該ＣＭに関する情報を示すＣＭメタデータと、が記録されているＣＭ素材ファイルを取得するファイル取得手段と、
ＣＭを識別するためのＣＭ識別子と、前記ファイル取得手段により取得されたＣＭ素材ファイルと、を関連付けて、ファイル記憶部に記録するファイル記録手段と、を備え、
前記ＣＭバンクシステムは、
ＣＭ識別子を含み、該ＣＭ識別子で識別されるＣＭのＣＭ素材の記録の準備を指示するための記録準備指示情報を、前記ＣＭ素材記録支援装置に送信する記録準備指示手段を備え、
前記ＣＭ素材記録支援装置は、更に、
前記記録準備指示手段により送信された記録準備指示情報を受信すると、前記ファイル記憶部に記憶されているＣＭ素材ファイルの中から、該記録準備指示情報に含まれているＣＭ識別子に関連付けられているＣＭ素材ファイルを選択するファイル選択手段と、
前記ファイル選択手段により選択されたＣＭ素材ファイルの再生開始位置を、該ＣＭ素材ファイルの中のＣＭ素材を先頭から再生させるための位置であるＣＭ素材先頭位置に設定する再生開始位置設定手段と、
前記ファイル選択手段により選択されたＣＭ素材ファイルに記録されているＣＭメタデータを、前記ＣＭバンクシステムに送信するＣＭメタデータ送信手段と、を備え、
前記ＣＭバンクシステムは、更に、
前記ＣＭメタデータ送信手段により送信されたＣＭメタデータを受信し、該ＣＭメタデータに基づくＣＭに関する情報を出力するＣＭ情報出力手段と、
操作者の操作に応じて、前記ＣＭ情報出力手段により情報が出力されたＣＭのＣＭ識別子を含み、該ＣＭ識別子で識別されるＣＭのＣＭ素材の記録の開始を指示するための記録開始指示情報を、前記ＣＭ素材記録支援装置に送信する記録開始指示手段と、を備え、
前記ＣＭ素材記録支援装置は、更に、
前記記録開始指示手段により送信された記録開始指示情報を受信すると、前記ファイル選択手段により選択されたＣＭ素材ファイルの再生を、前記再生開始位置設定手段により設定されたＣＭ素材先頭位置から開始する再生開始手段と、
前記再生開始手段により再生が開始されたＣＭ素材の再生データを前記ＣＭバンクシステムに送信する再生データ送信手段と、を備え、
前記ＣＭバンクシステムは、更に、
前記再生データ送信手段により送信されたＣＭ素材の再生データを受信する再生データ受信手段と、
前記再生データ受信手段により受信されたＣＭ素材の再生データを、ＣＭ素材記憶部に記録するＣＭ素材記録手段と、を備える、
ことを特徴とする。
【００１３】
また、本発明の第２の観点に係るＣＭ素材記録支援方法は、
ＣＭ素材が記録されるＣＭバンクシステムと、該ＣＭバンクシステムと通信ネットワークを介して接続されており該ＣＭバンクシステムへのＣＭ素材の記録を支援するＣＭ素材記録支援装置と、を用いるＣＭ素材記録支援方法であって、
前記ＣＭ素材記録支援装置が、ＣＭのコンテンツであるＣＭ素材と、該ＣＭに関する情報を示すＣＭメタデータと、が記録されているＣＭ素材ファイルを取得するファイル取得ステップと、
前記ＣＭ素材記録支援装置が、ＣＭを識別するためのＣＭ識別子と、前記ファイル取得ステップにより取得されたＣＭ素材ファイルと、を関連付けて、ファイル記憶部に記録するファイル記録ステップと、
前記ＣＭバンクシステムが、ＣＭ識別子を含み、該ＣＭ識別子で識別されるＣＭのＣＭ素材の記録の準備を指示するための記録準備指示情報を、前記ＣＭ素材記録支援装置に送信する記録準備指示ステップと、
前記ＣＭ素材記録支援装置が、前記記録準備指示ステップにより送信された記録準備指示情報を受信すると、前記ファイル記憶部に記憶されているＣＭ素材ファイルの中から、該記録準備指示情報に含まれているＣＭ識別子に関連付けられているＣＭ素材ファイルを選択するファイル選択ステップと、
前記ＣＭ素材記録支援装置が、前記ファイル選択ステップにより選択されたＣＭ素材ファイルの再生開始位置を、該ＣＭ素材ファイルの中のＣＭ素材を先頭から再生させるための位置であるＣＭ素材先頭位置に設定する再生開始位置設定ステップと、
前記ＣＭ素材記録支援装置が、前記ファイル選択ステップにより選択されたＣＭ素材ファイルに記録されているＣＭメタデータを、前記ＣＭバンクシステムに送信するＣＭメタデータ送信ステップと、
前記ＣＭバンクシステムが、前記ＣＭメタデータ送信ステップにより送信されたＣＭメタデータを受信し、該ＣＭメタデータに基づくＣＭに関する情報を出力するＣＭ情報出力ステップと、
前記ＣＭバンクシステムが、操作者の操作に応じて、前記ＣＭ情報出力ステップにより情報が出力されたＣＭのＣＭ識別子を含み、該ＣＭ識別子で識別されるＣＭのＣＭ素材の記録の開始を指示するための記録開始指示情報を、前記ＣＭ素材記録支援装置に送信する記録開始指示ステップと、
前記ＣＭ素材記録支援装置が、前記記録開始指示ステップにより送信された記録開始指示情報を受信すると、前記ファイル選択ステップにより選択されたＣＭ素材ファイルの再生を、前記再生開始位置設定ステップにより設定されたＣＭ素材先頭位置から開始する再生開始ステップと、
前記ＣＭ素材記録支援装置が、前記再生開始ステップにより再生が開始されたＣＭ素材の再生データを前記ＣＭバンクシステムに送信する再生データ送信ステップと、
前記ＣＭバンクシステムが、前記再生データ送信ステップにより送信されたＣＭ素材の再生データを受信する再生データ受信ステップと、
前記ＣＭバンクシステムが、前記再生データ受信ステップにより受信されたＣＭ素材の再生データを、ＣＭ素材記憶部に記録するＣＭ素材記録ステップと、
を備えることを特徴とする。
【００１４】
また、本発明の第３の観点に係るＣＭ素材記録支援装置は、
ＣＭ素材が記録されるＣＭバンクシステムと通信ネットワークを介して接続されており、該ＣＭバンクシステムへのＣＭ素材の記録を支援するＣＭ素材記録支援装置であって、
ＣＭのコンテンツであるＣＭ素材と、該ＣＭに関する情報を示すＣＭメタデータと、が記録されているＣＭ素材ファイルを取得するファイル取得手段と、
ＣＭを識別するためのＣＭ識別子と、前記ファイル取得手段により取得されたＣＭ素材ファイルと、を関連付けて、ファイル記憶部に記録するファイル記録手段と、
ＣＭ識別子を含み、該ＣＭ識別子で識別されるＣＭのＣＭ素材の記録の準備を指示するための記録準備指示情報を、前記ＣＭバンクシステムから受信すると、前記ファイル記憶部に記憶されているＣＭ素材ファイルの中から、該記録準備指示情報に含まれているＣＭ識別子に関連付けられているＣＭ素材ファイルを選択するファイル選択手段と、
前記ファイル選択手段により選択されたＣＭ素材ファイルの再生開始位置を、該ＣＭ素材ファイルの中のＣＭ素材を先頭から再生させるための位置であるＣＭ素材先頭位置に設定する再生開始位置設定手段と、
前記ファイル選択手段により選択されたＣＭ素材ファイルに記録されているＣＭメタデータを、前記ＣＭバンクシステムに送信するＣＭメタデータ送信手段と、
前記ＣＭメタデータ送信手段により送信されたＣＭメタデータに基づくＣＭに関する情報を出力した前記ＣＭバンクシステムの操作者の操作に応じて、前記ＣＭバンクシステムにより情報が出力されたＣＭのＣＭ識別子を含み、該ＣＭ識別子で識別されるＣＭのＣＭ素材の記録の開始を指示するための記録開始指示情報を、前記ＣＭバンクシステムから受信すると、前記ファイル選択手段により選択されたＣＭ素材ファイルの再生を、前記再生開始位置設定手段により設定されたＣＭ素材先頭位置から開始する再生開始手段と、
前記再生開始手段により再生が開始されたＣＭ素材の再生データを、前記ＣＭバンクシステムに記録させるために、前記ＣＭバンクシステムに送信する再生データ送信手段と、
を備えることを特徴とする。
【００１５】
また、本発明の第４の観点に係るプログラムは、
ＣＭ素材が記録されるＣＭバンクシステムと通信ネットワークを介して接続されるコンピュータを、
ＣＭのコンテンツであるＣＭ素材と、該ＣＭに関する情報を示すＣＭメタデータと、が記録されているＣＭ素材ファイルを取得するファイル取得手段、
ＣＭを識別するためのＣＭ識別子と、前記ファイル取得手段により取得されたＣＭ素材ファイルと、を関連付けて、ファイル記憶部に記録するファイル記録手段、
ＣＭ識別子を含み、該ＣＭ識別子で識別されるＣＭのＣＭ素材の記録の準備を指示するための記録準備指示情報を、前記ＣＭバンクシステムから受信すると、前記ファイル記憶部に記憶されているＣＭ素材ファイルの中から、該記録準備指示情報に含まれているＣＭ識別子に関連付けられているＣＭ素材ファイルを選択するファイル選択手段、
前記ファイル選択手段により選択されたＣＭ素材ファイルの再生開始位置を、該ＣＭ素材ファイルの中のＣＭ素材を先頭から再生させるための位置であるＣＭ素材先頭位置に設定する再生開始位置設定手段、
前記ファイル選択手段により選択されたＣＭ素材ファイルに記録されているＣＭメタデータを、前記ＣＭバンクシステムに送信するＣＭメタデータ送信手段、
前記ＣＭメタデータ送信手段により送信されたＣＭメタデータに基づくＣＭに関する情報を出力した前記ＣＭバンクシステムの操作者の操作に応じて、前記ＣＭバンクシステムにより情報が出力されたＣＭのＣＭ識別子を含み、該ＣＭ識別子で識別されるＣＭのＣＭ素材の記録の開始を指示するための記録開始指示情報を、前記ＣＭバンクシステムから受信すると、前記ファイル選択手段により選択されたＣＭ素材ファイルの再生を、前記再生開始位置設定手段により設定されたＣＭ素材先頭位置から開始する再生開始手段、
前記再生開始手段により再生が開始されたＣＭ素材の再生データを、前記ＣＭバンクシステムに記録させるために、前記ＣＭバンクシステムに送信する再生データ送信手段、
として機能させるためのものである。
【発明の効果】
【００１６】
本発明によれば、ＣＭ素材をＣＭバンクシステムに収録する作業を行う者の作業負荷を軽減することができる。
【図面の簡単な説明】
【００１７】
【図１】本発明の実施形態に係るＣＭ素材記録支援システムのシステム構成例を示すブロック図である。
【図２】図１のポストサーバのハードウェア構成例を示すブロック図である。
【図３】営業放送管理ＣＭ情報のデータ構成例を示す図である。
【図４】ＣＭ素材記録支援システムの機能的な構成例を示すブロック図である。
【図５】ＣＭ素材ファイルのデータ構成例を示す図である。
【図６】クレジット画像の一例を示す図である。
【図７】ＣＭ情報画面の一例を示す図である。
【図８】ＣＭメタデータとしてクレジット画像を用いる場合のＣＭ素材記録支援システムの機能的な構成例を示すブロック図である。
【図９】ＣＭ素材ファイルの再生開始位置をＣＭ素材先頭位置に設定するためのＣＭ素材記録支援システムの機能的な構成例を示すブロック図である。
【図１０】ファイルＤＢが記憶するポスト管理ＣＭ情報のデータ構成例を示す図である。
【発明を実施するための形態】
【００１８】
以下、本発明の実施形態を図面を参照して説明する。
【００１９】
図１は、本発明の実施形態に係るＣＭ（Commercial Message）素材記録支援システム１のシステム構成例を示すブロック図である。
図１に示すように、ＣＭ素材記録支援システム１は、広告代理店サーバ１０と、営業放送システム２０と、ＣＭバンクシステム３０と、ポストサーバ４０と、を備えている。また、ＣＭバンクシステム３０は、ＣＭバンクサーバ３１と、ＣＭバンクサーバ３１に接続されているＣＭバンク操作端末３２と、を備えている。
【００２０】
更に、このＣＭ素材記録支援システム１において、ＣＭバンクサーバ３１は、営業放送システム２０及びポストサーバ４０と、通信ネットワークを介して接続されており、広告代理店サーバ１０もまた、営業放送システム２０及びポストサーバ４０と通信ネットワークを介して接続されている。通信ネットワークは、インターネット、イントラネット、ＷＡＮ（Wide Area Network）、ＬＡＮ（Local Area Network）等の通信網である。
【００２１】
広告代理店サーバ１０は、放送用のＣＭを作成して放送局に送稿する広告代理店が備えている装置である。
営業放送システム２０は、放送局が、放送用の番組やＣＭの内容、放送スケジュール等を管理するための装置である。
【００２２】
ＣＭバンクシステム３０は、ＣＭの映像及び音声を含むコンテンツであるＣＭ素材が記録される装置である。具体的には、ＣＭバンクシステム３０の中のＣＭバンクサーバ３１が、ＣＭ素材を記憶するための主な処理を行うための装置である。ＣＭバンク操作端末３２は、ＣＭバンクシステム３０を操作する者が使用する端末装置である。
なお、ＣＭバンクサーバ３１の機能とＣＭバンク操作端末３２の機能とを一体化させて、１つの装置としても良い。また、以下では、ＣＭバンクサーバ３１とＣＭバンク操作端末３２とを分けることなく、一体的にＣＭバンクシステム３０と称する場合がある。
【００２３】
ＣＭバンクシステム３０に予め記録されているＣＭ素材は、営業放送システム２０で管理している放送スケジュールに従ってＣＭバンクシステム３０から読み出され、営業放送システム２０に送出されることにより、放送局においてＣＭが放送される。
【００２４】
ポストサーバ４０は、ＣＭバンクシステム３０へのＣＭ素材の記録を支援するための装置であり、ＣＭ素材記録支援装置として機能する。
【００２５】
ここで、まず、ＣＭ素材記録支援システム１が備えている各装置のハードウェア構成を説明する。
以下では、ポストサーバ４０のハードウェア構成を説明するが、その他の広告代理店サーバ１０、営業放送システム２０、ＣＭバンクサーバ３１、ＣＭバンク端末３２についても、ポストサーバ４０と実質的に同様なハードウェア構成とすることができるため、その説明については省略する。
【００２６】
図２は、ポストサーバ４０のハードウェア構成例を示すブロック図である。
図２に示すように、ポストサーバ４０は、ハードウェア構成として、通信部４１と、入力部４２と、出力部４３と、記憶部４４と、制御部４５と、を備える。
【００２７】
通信部４１は、通信インタフェース等を備えており、ポストサーバ４０に接続される他の装置との通信に用いられる。具体的には、ポストサーバ４０は、通信部４１を用いて、広告代理店サーバ１０及びＣＭバンクサーバ３１とデータの送受信を行う。
【００２８】
入力部４２は、キーボード、マウス等の入力装置を備える。入力部４２には、操作をする者による入力操作に応じて様々な情報が入力される。
出力部４３は、ディスプレイ等の出力装置を備え、様々な情報を出力する。
【００２９】
記憶部４４は、ハードディスク等の補助記憶装置を備え、様々な情報やプログラム等を記憶する。記憶部４４には、ＣＭバンクシステム３０へのＣＭ素材の記録を支援するための様々な機能をポストサーバ４０が実現するためのプログラム等が格納されている。
【００３０】
制御部４５は、ＣＰＵ（Central Processing Unit）４６、ＲＯＭ（Read Only Memory）４７、ＲＡＭ（Random Access Memory）４８等から構成され、データの演算処理を行うと共に、ポストサーバ４０の全体を制御する。制御部４５における演算処理及び制御処理は、具体的には、ＣＰＵ４６が、ＲＡＭ４８を作業領域として使用して各種データを一時的に記憶させながら、ＲＯＭ４７に記憶されている制御プログラムを実行することにより行われる。
【００３１】
制御部４５が、ＲＯＭ４７や記憶部４４に記憶されているプログラムに従って、通信部４１、入力部４２、出力部４３、及び記憶部４４を制御することにより、ポストサーバ４０において、ＣＭバンクシステム３０へのＣＭ素材の記録を支援するための様々な動作が実行される。
【００３２】
次に、ＣＭ素材記録支援システム１における動作を説明する。
例えば、広告代理店が広告主等からＣＭの作成依頼を受けると、広告代理店は、ＣＭを識別するための識別子として、一意に判別可能な業界標準コードである例えば１０桁のＣＭコードを採番し、作成予定のＣＭに付与する。
【００３３】
広告代理店は、広告代理店サーバ１０を用いて、付与したＣＭコードと、作成予定のＣＭに関する情報と、を例えばＥＤＩ（Electronic Data Interchange）データに含めて、営業放送システム２０に送信する。
営業放送システム２０は、広告代理店サーバ１０から受信したＣＭコードと作成予定のＣＭに関する情報とを関連付けて、営業放送管理ＣＭ情報として、営業放送システム２０が備える例えば記憶部に記録する。
【００３４】
図３は、営業放送システム２０が記憶する営業放送管理ＣＭ情報のデータ構成例を示す図である。
図３に示すように、営業放送システム２０は、広告代理店サーバ１０から受信した情報に基づき、ＣＭ毎に、ＣＭコード、ＣＭ名、広告主、ＣＭ長（ＣＭの秒数）、ＣＭ素材搬入情報等を、営業放送管理ＣＭ情報として記憶する。
【００３５】
ここで、ＣＭ素材搬入情報は、ＣＭコードが付与されたＣＭのＣＭ素材が、広告代理店によって作成されて、ポストサーバ４０に搬入されたか否かを示す情報である。ＣＭ素材搬入情報の初期値は、ＣＭ素材がポストサーバに未だ搬入されていないことを示す「未搬入」である。その後、搬入されたことが、例えば広告代理店サーバ１０から営業放送システム２０に通知されると、ＣＭ素材搬入情報は、既に搬入されていることを示す「搬入済み」に変更される。
【００３６】
広告代理店は、例えば、作成予定のＣＭに付与したＣＭコードとそのＣＭに関する情報を営業放送システム２０に送信した後、送信したＣＭコードで識別されるＣＭのＣＭ素材の作成を開始する。ＣＭ素材の作成が完了すると、広告代理店は、広告代理店サーバ１０を用いて、作成したＣＭ素材をファイル化してＣＭ素材ファイルとし、ＣＭ素材ファイルとそのＣＭコードとを関連付けてポストサーバ４０に送信する。
【００３７】
また、広告代理店サーバ１０は、例えば、ＣＭ素材ファイルをポストサーバ４０に送信した後、営業放送システム２０に、ＣＭ素材を搬入したことを示す搬入完了情報とそのＣＭコードとを関連付けて送信する。営業放送システム２０は、搬入完了情報とＣＭコードとを受信すると、図３に例示した営業放送管理ＣＭ情報において、受信したＣＭコードに対応するＣＭ素材搬入情報を「搬入済み」に変更する。
【００３８】
ポストサーバ４０は、営業放送管理ＣＭ情報の中のＣＭ素材搬入情報が「搬入済み」に変更されると、「搬入済み」に変更されたＣＭのＣＭコードと、ファイリング指示データと、を関連付けてＣＭバンクシステム３０に送信する。ここで、ファイリング指示データとは、ＣＭ素材の収録（ファイリング）をＣＭバンクシステム３０に指示するためのデータである。
【００３９】
ＣＭバンクシステム３０は、ポストサーバ４０から、ファイリング指示データとＣＭコードとを受信すると、受信したＣＭコードを、ファイリング指示受け情報として記憶する。
【００４０】
次に、ファイリング指示データを受信したＣＭバンクシステム３０と、ポストサーバ４０と、の間の動作を中心としたＣＭ素材記録支援システム１の動作を、図４を用いて具体的に説明する。
【００４１】
図４は、ＣＭ素材記録支援システム１の機能的な構成例を示すブロック図である。
図４に示すように、ＣＭバンクシステム３０は、記録準備指示部３０１と、ＣＭ情報出力部３０２と、記録開始指示部３０３と、再生データ受信部３０４と、ＣＭ素材記録部３０５と、ＣＭ素材ＤＢ（Data Base）３０６と、を備えている。また、ポストサーバ４０は、ファイル取得部４０１と、ファイル記録部４０２と、ファイルＤＢ（Data Base）４０３と、ファイル選択部４０４と、再生開始位置設定部４０５と、ＣＭメタデータ送信部４０６と、再生開始部４０７と、再生データ送信部４０８と、を備えている。
【００４２】
なお、図４に示すポストサーバ４０の各部は、ポストサーバ４０が備える制御部４５の処理により実現される機能的な構成である。また、同様に、図４に示すＣＭバンクシステム３０の各部は、ＣＭバンクサーバ３１及びＣＭバンク操作端末３２が備える各制御部の処理により実現される機能的な構成である。
また、ファイルＤＢ４０３は、ポストサーバ４０が備える記憶部４４により実現される構成であり、同様に、ＣＭ素材ＤＢ３０６は、ＣＭバンクサーバ３１が備える記憶部により実現される構成である。
【００４３】
ポストサーバ４０のファイル取得部４０１は、ＣＭのコンテンツであるＣＭ素材と、そのＣＭに関する情報を示すＣＭメタデータと、が記録されているＣＭ素材ファイルを取得する。
例えば、ファイル取得部４０１は、広告代理店サーバ１０から送信されたＣＭ素材ファイルを受信することにより、取得する。
【００４４】
図５は、ＣＭ素材ファイルのデータ構成例を示す図である。
ＣＭ素材ファイルには動画が記録されており、図５に示すように、動画の先頭から例えば１５秒以降の部分にＣＭ素材の動画が記録されている。また、動画の先頭から例えば５秒〜１０秒の部分には、ＣＭメタデータを示すクレジット映像が記録されている。
【００４５】
クレジット映像は、具体的には、静止画であるクレジット画像が例えば５秒間連続再生される映像である。
図６は、クレジット画像の一例を示す図であり、図示するように、クレジット画像には、ＣＭメタデータとして、例えば、ＣＭ素材を作成した広告代理店名、ＣＭコード、ＣＭ名、広告主、ＣＭ長等が示される。
【００４６】
図４に戻り、ファイル記録部４０２は、ＣＭコードと、ファイル取得部４０１により取得されたＣＭ素材ファイルと、を関連付けて、ファイルＤＢ４０３に記録する。
例えば、ポストサーバ４０が広告代理店サーバ１０からＣＭ素材ファイルと共に受信したＣＭコードを、ファイル記録部４０２は、ＣＭ素材ファイルと関連付けて、ファイルＤＢ４０３に記録する。
【００４７】
なお、ＣＭコードは、ＣＭ素材ファイルに含められていても良い。その場合には、ファイル記録部４０２は、ファイル取得部４０１が取得したＣＭ素材ファイルから、ＣＭコードを読み出し、ＣＭコードとＣＭ素材ファイルとを関連付けて記録する。
また、ＣＭ素材ファイルに記録されているクレジット映像からＣＭコードを抽出しても良い。その場合には、ファイル記録部４０２は、例えば、クレジット映像を画像化し、ＯＣＲ（Optical Character Recognition）ソフト等を用いてＣＭコードの画像部分をテキストデータに変換して、ＣＭコードを取得する。
【００４８】
以上のファイル取得部４０１及びファイル記録部４０２の動作により、搬入されたＣＭ素材ファイルがポストサーバ４０に格納される。
【００４９】
ポストサーバ４０にＣＭ素材ファイルが格納されると、ＣＭバンクシステム３０側では、記録準備指示部３０１が、ＣＭコードを含む記録準備指示情報をポストサーバ４０に送信する。ここで、ＣＭコードを含む記録準備指示情報とは、そのＣＭコードで識別されるＣＭのＣＭ素材の記録の準備を、ポストサーバ４０に指示するための情報である。
【００５０】
例えば、ＣＭ素材の確認及び収録の業務を行う作業者は、ＣＭバンク操作端末３２を操作して、営業放送システム２０からのファイリング指示データを受信しているＣＭバンクサーバ３１から、ファイリング指示受け情報として記憶されているＣＭコードを読み出し、そのＣＭコードの一覧をＣＭバンク操作端末３２の出力部としてのディスプレイに表示する。
【００５１】
作業者は、表示されたＣＭコードの一覧の中から、ＣＭバンクシステム３０へのＣＭ素材の記録（収録）を行いたいと考えているＣＭのＣＭコードを選択し、その選択情報を、ＣＭバンク操作端末３２の入力部を介して入力する。
ＣＭバンクシステム３０は、入力された選択情報に基づき、選択されたＣＭコードを含む記録準備指示情報をポストサーバ４０に送信する。
【００５２】
ポストサーバ４０側では、ファイル選択部４０４が、ＣＭバンクシステム３０の記録準備指示部３０１により送信された記録準備指示情報を受信すると、ファイルＤＢ４０３に記憶されているＣＭ素材ファイルの中から、その記録準備指示情報に含まれているＣＭコードに関連付けられているＣＭ素材ファイルを選択する。
【００５３】
そして、再生開始位置設定部４０５が、ファイル選択部４０４により選択されたＣＭ素材ファイルの再生開始位置を、ＣＭ素材先頭位置に設定する。ここで、ＣＭ素材先頭位置とは、ＣＭ素材ファイルの中のＣＭ素材を先頭から再生させるための位置であり、例えば、図５に例示したＣＭ素材ファイルにおいては、先頭から１５秒の位置である。
【００５４】
このようにＣＭ素材先頭位置を再生開始の位置に設定しておくことにより、即ち、ＣＭ素材の頭出しを行っておくことにより、その後にＣＭ素材ファイルの再生が指示されたときには、ＣＭ素材の前に記録されているクレジット映像等の動画は再生されず、ＣＭ素材の先頭から即座に動画の再生が開始される。
【００５５】
また、ＣＭメタデータ送信部４０６は、ファイル選択部４０４により選択されたＣＭ素材ファイルに記録されているＣＭメタデータを、ＣＭバンクシステム３０に送信する。
例えば、ＣＭメタデータ送信部４０６は、ＣＭ素材ファイルに記録されているクレジット映像から、図６に例示したようなＣＭメタデータを示すクレジット画像を生成し、ＣＭメタデータとしてクレジット画像データをＣＭバンクシステム３０に送信する。
【００５６】
なお、ＣＭメタデータは、クレジット映像に示す形式以外にも、テキストデータ等の他の形式で、ＣＭ素材ファイルに含められるようにしても良い。そのような場合には、ＣＭメタデータ送信部４０６は、ＣＭメタデータをＣＭ素材ファイルから直接読み出して、ＣＭバンクシステム３０に送信する。
【００５７】
ＣＭバンクシステム３０側では、ＣＭ情報出力部３０２が、ポストサーバ４０のＣＭメタデータ送信部４０６により送信されたＣＭメタデータを受信し、そのＣＭメタデータに基づくＣＭに関する情報を出力する。
【００５８】
例えば、ポストサーバ４０からＣＭバンクサーバ３１にＣＭメタデータを示すクレジット画像データが送信された場合には、ＣＭ情報出力部３０２は、ＣＭバンク操作端末３２の出力部としてのディスプレイに、クレジット画像を含むＣＭ情報画面を表示することによって、ＣＭに関するＣＭ情報の出力を行う。また、ＣＭメタデータがテキストデータ等の他の形式で送信された場合には、ＣＭ情報出力部３０２は、受信したＣＭメタデータから、ＣＭ情報を示すＣＭ情報画面を作成して表示する。なお、ＣＭ情報を音声等の他の出力手段によって出力するようにしても良い。
【００５９】
このように、ＣＭバンクシステム３０においてＣＭ情報の表示等が行われることにより、ＣＭバンク操作端末３２を操作している作業者は、記録準備指示部３０１を介して記録準備の指示を行ったＣＭ素材に対応するＣＭ情報を確認することができ、ＣＭ素材の確認業務を効率的に行うことができる。
【００６０】
続いて、記録開始指示部３０３が、作業者による例えばＣＭバンク操作端末３２の操作に応じて、ＣＭ情報出力部３０２により出力されたＣＭ情報に対応するＣＭ素材の記録開始指示情報を、ポストサーバ４０に送信する。ここで、記録開始指示情報とは、具体的には、ＣＭ情報出力部３０２により情報が出力されたＣＭのＣＭコードを含み、そのＣＭコードで識別されるＣＭのＣＭ素材の記録の開始を指示するための情報である。
【００６１】
例えば、作業者は、ＣＭ情報出力部３０２によってＣＭバンク操作端末３２にＣＭ情報画面が表示されると、そのＣＭ情報画面の内容を見て、記録準備の指示を行ったＣＭ素材の内容に間違いがないか否かを確認する。そして、作業者は、間違いがない場合には、ＣＭバンク操作端末３２の入力部を介して、そのＣＭ素材の記録開始を指示するための情報を入力する。
【００６２】
図７は、ＣＭバンク操作端末３２に表示されるＣＭ情報画面の一例を示す図であり、図示するように、ＣＭ情報画面には、図６に例示したクレジット画像の内容を示すクレジット画像領域５０１と、記録開始を指示するための情報を入力するための記録開始指示ボタン５０２と、が示される。
【００６３】
このようなＣＭ情報画面が、ＣＭバンク操作端末３２に表示された場合には、作業者が、クレジット画像領域５０１のクレジット画像を確認後、ＣＭ情報画面内の記録開始指示ボタン５０２のクリック等を行うことにより、そのクレジット画像に対応するＣＭコードを含む記録開始指示情報が、記録開始指示部３０３によってポストサーバ４０に送信される。
【００６４】
ポストサーバ４０側では、再生開始部４０７が、ＣＭバンクシステム３０の記録開始指示部３０３により送信された記録開始指示情報を受信すると、ファイル選択部４０４により選択されたＣＭ素材ファイルの再生を、再生開始位置設定部４０５により設定されたＣＭ素材先頭位置から開始する。
【００６５】
即ち、ポストサーバ４０は、ＣＭバンクシステム３０からＣＭ素材の記録開始の指示を受けると、直ちにＣＭ素材ファイルの再生を行うが、予め再生開始位置設定部４０５によってＣＭ素材の先頭から動画の再生が開始されるように頭出しが行われているので、ＣＭ素材の先頭から動画の再生が開始される。
【００６６】
再生データ送信部４０８は、再生開始部４０７により再生が開始されたＣＭ素材の再生データをＣＭバンクシステム３０に送信する。
そして、ＣＭバンクシステム３０側では、再生データ受信部３０４が、ポストサーバ４０の再生データ送信部４０８により送信されたＣＭ素材の再生データを受信する。
【００６７】
ＣＭバンクシステム３０（具体的にはＣＭバンクサーバ３１）とポストサーバ４０とは、例えば、ＨＤ−ＳＤＩ（High Definition Serial Digital Interface）で接続されており、ＨＤ−ＳＤＩを介してＣＭ素材の再生データの送受信が行われる。
【００６８】
ＣＭ素材記録部３０５は、再生データ受信部３０４により受信されたＣＭ素材の再生データを、ＣＭ素材ＤＢ３０６に記録する。
具体的には、ＣＭ素材記録部３０５は、ポストサーバ４０がＣＭ素材ファイルに記録されているＣＭ素材の再生を開始してから再生を終了するまでの再生データを記録する。
【００６９】
より具体的には、記録開始指示部３０３がポストサーバ４０に対してＣＭ素材の記録開始を指示すると、ポストサーバ４０に搬入されているＣＭ素材ファイルに記録されているＣＭ素材の再生が直ちに開始されるので、ＣＭ素材記録部３０５はそのタイミングに合わせて、例えば記録開始指示部３０３が記録開始を指示したタイミングで、再生データの記録を開始する。
【００７０】
そして、ＣＭ素材記録部３０５は、ＣＭ素材のＣＭ長の時間が経過したタイミングで再生データの記録を終了する。なお、ＣＭ長は、ＣＭバンクシステム３０において記憶されている図３に例示した営業放送管理ＣＭ情報から読み出されることにより、判断されることができる。
【００７１】
また、ＣＭ素材記録部３０５が記録を開始及び終了するタイミングは、その他の情報に基づき判断されても良い。例えば、ＣＭ素材記録部３０５は、再生データ受信部３０４が再生データを受信した時点で記録を開始、再生データ受信部３０４が再生データを受信しなくなった時点で記録を終了するようにしても良い。
【００７２】
ＣＭ素材記録部３０５は、再生データの記録を終了すると、記録した再生データをＣＭ素材として、そのＣＭ素材のＣＭコードと関連付けて、ＣＭ素材ＤＢ３０６に記録する。
【００７３】
以上の構成のＣＭ素材記録支援システム１によれば、ＣＭ素材をＣＭバンクシステム３０に収録する作業を行う者の作業負荷を軽減することができる。また、作業の正確性を向上させることができる。
【００７４】
次に、より具体的なＣＭ素材記録支援システム１の構成を説明する。
まず、上記説明において例示した態様であるが、ＣＭメタデータとして、ＣＭに関する情報を示すクレジット画像を用いる場合の具体的な構成について説明する。
【００７５】
図８は、ＣＭメタデータとしてクレジット画像を用いる場合のＣＭ素材記録支援システム１の機能的な構成例を示すブロック図である。
この構成例においては、図８に示すように、ポストサーバ４０のファイル記録部４０２は、クレジット画像生成部６０１と、クレジット画像記録部６０２と、を含んでおり、ＣＭメタデータ送信部４０６は、クレジット画像読出部６１１と、クレジット画像送信部６１２と、を含んでいる。また、ＣＭバンクシステム３０のＣＭ情報出力部３０２は、クレジット画像出力部６２１を含んでいる。
また、この構成例の説明においては、重複を避けるために、既に説明している部分の説明及び図示を省略する。
【００７６】
この構成例では、ポストサーバ４０のファイル記録部４０２において、具体的には、クレジット画像生成部６０１が、ファイル取得部４０１により取得されたＣＭ素材ファイルに記録されているＣＭメタデータから、クレジット画像を生成する。
例えば、クレジット画像生成部６０１は、ＣＭ素材ファイルに記録されているクレジット映像から、キャプチャ等の処理によって、クレジット画像を生成する。
【００７７】
クレジット画像記録部６０２は、ＣＭコードと、ファイル取得部４０１により取得されたＣＭ素材ファイルと、クレジット画像生成部６０１により生成されたクレジット画像と、を関連付けて、ファイルＤＢ４０３に記録する。
【００７８】
ＣＭメタデータ送信部４０６においては、クレジット画像読出部６１１が、ＣＭバンクシステム３０の記録準備指示部３０１により送信された記録準備指示情報に含まれているＣＭコードに関連付けられているクレジット画像を、ファイルＤＢ４０３から読み出す。
なお、クレジット画像読出部６１１は、記録準備指示情報に含まれているＣＭコードを、記録準備指示部３０１からファイル選択部４０４を介して取得しても良い。
【００７９】
クレジット画像送信部６１２は、クレジット画像読出部６１１により読み出されたクレジット画像を、ＣＭバンクシステム３０に送信する。
【００８０】
ＣＭバンクシステム３０のＣＭ情報出力部３０２においては、クレジット画像出力部６２１が、クレジット画像送信部６１２により送信されたクレジット画像を受信し、そのクレジット画像を出力する。
例えば、クレジット画像出力部６２１は、受信したクレジット画像を、ＣＭ情報画面に含めてＣＭバンク操作端末３２に表示する。
【００８１】
このような具体的構成例によれば、ＣＭ素材ファイルがポストサーバ４０に搬入された時点で、ＣＭの内容を確認するためのクレジット画像が生成され、ＣＭ素材ファイルと関連付けて記憶されるので、ＣＭ素材の確認を行う作業者は、確認したいときに直ちにクレジット画像を読み出して確認を行うことができる。
【００８２】
次に、ＣＭ素材ファイルの再生開始位置をＣＭ素材先頭位置に設定するための具体的な構成について説明する。
【００８３】
図９は、ＣＭ素材ファイルの再生開始位置をＣＭ素材先頭位置に設定するためのＣＭ素材記録支援システム１の機能的な構成例を示すブロック図である。
この構成例においては、図９に示すように、ポストサーバ４０のファイル取得部４０１は、先頭位置情報取得部７０１を含み、ファイル記録部４０２は、先頭位置情報記録部７１１を含み、再生開始位置設定部４０５は、先頭位置情報読出部７２１と、読出再生開始位置設定部７２２と、を含んでいる。
また、この構成例の説明においては、重複を避けるために、既に説明している部分の説明及び図示を省略する。
【００８４】
この構成例では、ポストサーバ４０のファイル取得部４０１において、具体的には、先頭位置情報取得部７０１が、ＣＭ素材ファイルと共に、そのＣＭ素材ファイルの中のＣＭ素材先頭位置を示すＣＭ素材先頭位置情報を取得する。
【００８５】
ファイル記録部４０２においては、先頭位置情報記録部７１１が、ＣＭコードと、ファイル取得部４０１により取得されたＣＭ素材ファイルと、先頭位置情報取得部７０１により取得されたＣＭ素材先頭位置情報と、を関連付けて、ファイルＤＢ４０３に記録する。
例えば、ポストサーバ４０は、これらの情報を、ポスト管理ＣＭ情報としてファイルＤＢ４０３に記憶する。
【００８６】
図１０は、ファイルＤＢ４０３が記憶するポスト管理ＣＭ情報のデータ構成例を示す図である。
図１０に示すように、ファイルＤＢ４０３は、ポスト管理ＣＭ情報として、ＣＭコード、ＣＭ素材ファイル、ＣＭ素材先頭位置情報を記憶しており、更に、クレジット画像データ、ＣＭ名、広告主、ＣＭ長等を記憶しても良い。例えば、図８を用いて説明したＣＭメタデータとしてクレジット画像を用いる場合の構成例では、クレジット画像データがポスト管理ＣＭ情報に含められてファイルＤＢ４０３に記憶される。
【００８７】
なお、図１０に例示したポスト管理ＣＭ情報において、ＣＭ素材先頭位置情報の「１５秒後スタート」は、ＣＭ素材ファイルの再生を開始してから１５秒後にＣＭ素材の先頭位置に達してＣＭ素材の再生が開始されることを示しており、「２０秒後スタート」は、２０秒後にＣＭ素材の再生が開始されることを示している。
【００８８】
また、ファイルＤＢ４０３に記憶されるポスト管理ＣＭ情報の各情報は、ＣＭ素材ファイルに記録されているＣＭメタデータから抽出されることにより取得されても良く、また、ＣＭ素材ファイルの付加データとして広告代理店サーバ１０等から送信されることにより取得されても良い。
【００８９】
再生開始位置設定部４０５においては、先頭位置情報読出部７２１が、ＣＭバンクシステム３０の記録準備指示部３０１により送信された記録準備指示情報に含まれているＣＭコードに関連付けられているＣＭ素材先頭位置情報を、ファイルＤＢ４０３から読み出す。
なお、先頭位置情報読出部７２１は、記録準備指示情報に含まれているＣＭコードを、記録準備指示部３０１からファイル選択部４０４を介して取得しても良い。
【００９０】
読出再生開始位置設定部７２２は、ファイル選択部４０４により選択されたＣＭ素材ファイルの再生開始位置を、先頭位置情報読出部７２１により読み出されたＣＭ素材先頭位置情報が示すＣＭ素材先頭位置に設定する。
例えば、図１０に例示したポスト管理ＣＭ情報において、ＣＭ素材先頭位置情報「１５秒後スタート」が、記録準備指示情報に含まれているＣＭコードに関連付けられている場合には、読出再生開始位置設定部７２２は、そのＣＭコードのＣＭ素材ファイルの再生開始位置を、ＣＭ素材ファイルの先頭から１５秒後の位置に設定する。
【００９１】
これにより、再生開始部４０７がＣＭバンクシステム３０の記録開始指示部３０３から記録開始指示情報を受信したときには、ＣＭ素材ファイルの先頭から１５秒後の位置から直ちに再生が開始され、ＣＭ素材ファイル内におけるＣＭ素材自体の頭から再生が開始される。
【００９２】
従って、以上のような具体的構成例によれば、ＣＭ素材の頭出しを簡単に行うことができる。
【００９３】
以上、本発明の実施形態を説明してきたが、本実施形態においては、まず、ＣＭ素材の搬入時に、ポストサーバ４０が、搬入されたＣＭ素材ファイルを格納し、ＣＭメタデータを読み出す。そして、ポストサーバ４０は、読み出したＣＭメタデータを記憶しておく。
【００９４】
また、ファイリング指示の時には、ＣＭバンクシステム３０は、営業放送システム２０からファイリング指示データを受信し、受信したファイリング指示データを記憶しておく。
【００９５】
ＣＭ素材の収録時には、ＣＭバンクシステム３０は、作業者によるＣＭバンク操作端末３２の操作に応じて、ファイリングを指示されているＣＭ素材の中から収録対象とするＣＭ素材を選択し、選択されたＣＭ素材のスタンバイ指示データ（例えば記録準備指示部３０１により送信される記録準備指示情報）を、ポストサーバ４０に対して送信する。なお、スタンバイ指示データは、例えば１０桁のＣＭコードを含んでいる。
【００９６】
ポストサーバ４０は、記憶しているＣＭメタデータを参照して、スタンバイ指示されたＣＭ素材の再生開始ポイントを自動認識し、頭出しを行って、ＣＭ素材を再生可能状態にする。同時に、ポストサーバ４０は、そのＣＭ素材のクレジットをＣＭバンクシステム３０に自動的に表示させる。
【００９７】
クレジットが表示されたＣＭバンクシステム３０は、クレジットにてＣＭ素材の内容を確認した作業者の操作に応じて、ポストサーバ４０に対してスタートトリガ（例えば記録開始指示部３０３により送信される記録開始指示情報）を送信し、ＣＭ素材の収録を開始する。
【００９８】
ポストサーバ４０は、スタートトリガを受けて、ＣＭ素材を再生し、その映像信号及び音声信号をＣＭバンクシステム３０に対して出力する。そして、ＣＭバンクシステム３０にてＣＭ素材の収録が実行される。
【００９９】
従って、本実施形態によれば、クレジット表示と頭出しとが自動的に行われるため、ＣＭ内容確認と収録準備作業とを効率化することができる。
【０１００】
特に、本実施形態においては、ポストサーバ４０は自動スタンバイ機能を有している。
具体的には、ポストサーバ４０は、搬入されたＣＭ素材を格納しておき、ＣＭ素材の収録時にＣＭバンクシステム３０からスタンバイ指示を受けると、自動的にクレジット表示と頭出しとを行い、スタンバイ状態となる。
【０１０１】
このスタンバイ指示は、ＣＭ素材を一意に判別可能な業界標準コードである例えば１０桁のＣＭコードをキーとして実行される。即ち、ＣＭバンクシステム３０は、営業放送システム２０から渡されている１０桁のＣＭコードをキーとしてポストサーバ４０に対してスタンバイ指示を行う。
【０１０２】
ポストサーバ４０は、ＣＭバンクシステム３０から渡される１０桁のＣＭコードをＣＭ素材ファイルのメタ情報（ＣＭメタデータ）とマッチングさせ、クレジット表示と頭出しとを自動的に行う。
【０１０３】
また、ＣＭ素材の映像フォーマットには、先頭にクレジット画像が付いているため、ＣＭバンクシステム３０からのスタンバイ指示により、クレジット画像を切り出して表示することが可能である。
【０１０４】
そして、本実施形態によれば、ＣＭ素材がファイル化されているため、ビデオテープデッキでの再生位置頭出しとクレジット確認とを手動で行う必要がなくなるため、作業効率を向上させることができる。
【０１０５】
また、スタンバイ指示により、ポストサーバ４０内のデータとＣＭバンクシステム３０内のデータとをマッチングさせるため、作業ミスにより誤った素材を収録するリスクを低減させることができる。
【０１０６】
なお、本発明を実施するにあたっては、種々の形態による変形及び応用が可能であり、上記実施形態に限られるものではない。
【０１０７】
例えば、上記実施形態に係るポストサーバ４０の機能は、専用のハードウェアによって実現することができる一方で、通常のコンピュータシステムによっても実現することができる。
【０１０８】
例えば、上記実施形態において、ポストサーバ４０の記憶部４４に記憶されているプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをコンピュータにインストールすることにより、上述の機能を実現する装置を構成することができる。
【０１０９】
また、プログラムをインターネット等の通信ネットワーク上の所定のサーバ装置が有するディスク装置等に格納しておき、例えば、搬送波に重畳させて、コンピュータにダウンロード等するようにしても良い。
【０１１０】
また、通信ネットワークを介してプログラムを転送しながら起動実行することによっても、上述の機能を達成することができる。
更に、プログラムの全部又は一部をサーバ装置上で実行させ、その処理に関する情報をコンピュータが通信ネットワークを介して送受信しながらプログラムを実行することによっても、上述の機能を達成することができる。
【０１１１】
なお、上述の機能を、ＯＳ（Operating System）が分担して実現する場合又はＯＳとアプリケーションとの協働により実現する場合等には、ＯＳ以外の部分のみを媒体に格納して配布してもよく、また、コンピュータにダウンロード等しても良い。
【０１１２】
また、ポストサーバ４０と同様に、広告代理店サーバ１０、営業放送システム２０、ＣＭバンクシステム３０（ＣＭバンクサーバ３１及びＣＭバンク操作端末３２）の機能も、通常のコンピュータシステムによって実現することができる。
【０１１３】
なお、本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【０１１４】
１  ＣＭ素材記録支援システム
１０  広告代理店サーバ
２０  営業放送システム
３０  ＣＭバンクシステム
３１  ＣＭバンクサーバ
３２  ＣＭバンク操作端末
４０  ポストサーバ
４１  通信部
４２  入力部
４３  出力部
４４  記憶部
４５  制御部
４６  ＣＰＵ
４７  ＲＯＭ
４８  ＲＡＭ
３０１  記録準備指示部
３０２  ＣＭ情報出力部
３０３  記録開始指示部
３０４  再生データ受信部
３０５  ＣＭ素材記録部
３０６  ＣＭ素材ＤＢ
４０１  ファイル取得部
４０２  ファイル記録部
４０３  ファイルＤＢ
４０４  ファイル選択部
４０５  再生開始位置設定部
４０６  ＣＭメタデータ送信部
４０７  再生開始部
４０８  再生データ送信部
５０１  クレジット画像領域
５０２  記録開始指示ボタン
６０１  クレジット画像生成部
６０２  クレジット画像記録部
６１１  クレジット画像読出部
６１２  クレジット画像送信部
６２１  クレジット画像出力部
７０１  先頭位置情報取得部
７１１  先頭位置情報記録部
７２１  先頭位置情報読出部
７２２  読出再生開始位置設定部
【図１】
0005459779.tif 000002
【図２】
0005459779.tif 000003
【図３】
0005459779.tif 000004
【図４】
0005459779.tif 000005
【図５】
0005459779.tif 000006
【図６】
0005459779.tif 000007
【図７】
0005459779.tif 000008
【図８】
0005459779.tif 000009
【図９】
0005459779.tif 000010
【図１０】
0005459779.tif 000011